(57)【要約】【課題】洗濯物を干す作業及び取り込む作業の大半を建物内、つまり、室内において容易に行えるようにする。【解決手段】建物Ｂの外壁Ｂａへの固定部２０とこの固定部２０から前方に突き出すブラケット部２１とを備えた取付体２と、アーム基部１０をブラケット部２１に垂直軸１１をもって回動可能に組み付けたアーム体１とを備えてなる物干し装置Ｍを、建物Ｂの窓開口部Ｂｂ近傍の外壁Ｂａに取付体２をもって、アーム体１の一部を開放された窓開口部Ｂｂを通じて建物内Ｂｃに入り込ませた作業位置とこのアーム体１の一部を外壁Ｂａ側から前方に突き出させた物干し位置との間に亘る移動可能に備えさせてなる。【選択図】図１
2011050688.tif 000002
【特許請求の範囲】
【請求項１】
建物の外壁への固定部とこの固定部から前方に突き出すブラケット部とを備えた取付体と、
アーム基部を前記ブラケット部に垂直軸をもって回動可能に組み付けたアーム体とを備えてなる物干し装置を、
建物の窓開口部近傍の外壁に前記取付体をもって、アーム体の一部を開放された窓開口部を通じて建物内に入り込ませた作業位置とこのアーム体の一部を外壁側から前方に突き出させた物干し位置との間に亘る移動可能に備えさせてなることを特徴とする物干し構造。
【請求項２】
物干し装置のアーム体は、アーム基部とアーム先端との間で屈曲されたＬ字状をなすように構成されており、作業位置において屈曲部とアーム先端との間に位置されるアーム体の一部が建物内に入り込むようになっていることを特徴とする請求項１に記載の物干し構造。
【発明の詳細な説明】
【技術分野】
【０００１】
この発明は、建物の外で物干しハンガなどを支持するために建物に適用される物干し構造に関する。
【背景技術】
【０００２】
住宅などにおいては建物の外側に物干し構造を備えたものがある。こうしたものの中には、物干し棒を回動可能に建物の外壁に取り付けたものもある。しかるに、このような構造では洗濯物を干す作業及び取り込む作業の全てを建物外で行わざるを得ない。特に窓開口部の外側にバルコニーなどが備えられていない場合には、窓開口部から身を乗り出すなどしてかかる作業を行うことが余儀なくされる。
【発明の概要】
【発明が解決しようとする課題】
【０００３】
この発明が解決しようとする主たる問題点は、この種の物干し構造において、洗濯物を干す作業及び取り込む作業の大半を建物内、つまり、室内において容易に行えるようにする点にある。
【課題を解決するための手段】
【０００４】
前記課題を達成するために、この発明にあっては、物干し構造を、建物の外壁への固定部とこの固定部から前方に突き出すブラケット部とを備えた取付体と、
アーム基部を前記ブラケット部に垂直軸をもって回動可能に組み付けたアーム体とを備えてなる物干し装置を、
建物の窓開口部近傍の外壁に前記取付体をもって、アーム体の一部を開放された窓開口部を通じて建物内に入り込ませた作業位置とこのアーム体の一部を外壁側から前方に突き出させた物干し位置との間に亘る移動可能に備えさせてなるものとした。
【０００５】
かかる構成によれば、物干し位置において窓開口部の前方にアーム体は位置されないようにすることができ、室内側からの窓開口部を通じた眺望を物干し位置にあるアーム体が妨げないようにすることができる。また、作業位置にあっては建物内、つまり、室内において、アーム体の一部に物干しハンガなどを引っかけるなどの作業、または物干しハンガなどを取り外す作業を容易になすことができる。そして、この後アーム体を前記物干し位置まで移動、つまり、回動させることで、洗濯物を干すときは建物外にかかる物干しハンガなどを位置させ、または、これをしないときはかかるアーム体をかたづけておくことができる。
【０００６】
前記物干し装置のアーム体を、アーム基部とアーム先端との間で屈曲されたＬ字状をなすように構成し、作業位置において屈曲部とアーム先端との間に位置されるアーム体の一部が建物内に入り込むようにしておけば、前記ブラケット部の突きだし寸法を必要最小限にしておくことができる。すなわち、このブラケット部の突きだし寸法を大きくとらなくても前記作業位置においてアーム部の一部を都合良く窓開口部を通じて建物内に導入させることができる。
【発明の効果】
【０００７】
この発明によれば、洗濯物を干す作業及び取り込む作業の大半を建物内、つまり、室内において容易に行なうことができる。
【図面の簡単な説明】
【０００８】
【図１】図１は物干し構造の斜視構成図である。
【図２】図２は物干し構造を構成する物干し装置の分解斜視構成図である。
【図３】図３は物干し装置の要部断面図である。
【図４】図４は建物における物干し構造の適用箇所を示した平断面構成図である。
【図５】図５は建物における物干し構造の適用箇所を示した縦断面構成図である。
【発明を実施するための形態】
【０００９】
以下、図１〜図５に基づいて、この発明の典型的な実施の形態について説明する。この実施の形態にかかる物干し構造は、建物Ｂの一部を構成するものであって、建物Ｂの外で物干しハンガＨなどを支持するために用いられるものである。この物干し構造では、物干しハンガＨなどを支持し得るアーム体１の少なくとも一部を、開放された窓開口部Ｂｂ、つまり、窓を開けた状態から建物内Ｂｃに入り込ませることができるようになっている。（図４及び図５で想像線で示す位置／アーム体１の作業位置）そして、この作業位置からかかるアーム体１の一部を建物Ｂの外壁Ｂａから前方に突き出させるように建物Ｂの外側に移動させることができるようになっている。（図４及び図５で実線で示す位置／アーム体１の物干し位置）
【００１０】
かかるアーム体１は、取付体２と組み合わされて物干し装置Ｍを構成する。この実施の形態にかかる物干し構造は、かかる取付体２をもって建物Ｂに物干し装置Ｍを備え付けることで、前記アーム体１を前記作業位置と物干し位置とに亘る移動可能に備えさせてるものである。
【００１１】
物干し装置Ｍは、建物Ｂの窓開口部Ｂｂ近傍の外壁Ｂａ、典型的には窓のサッシ枠の縦枠の側方であってその上部側に位置される外壁Ｂａに取り付けられる。図示の例では窓開口部Ｂｂを挟んだ一方側、図４では右側にのみ物干し装置Ｍを備えさせている。図示は省略するが、かかる窓開口部Ｂｂを挟んだ両側にそれぞれ物干し装置Ｍを備えさせるようにすれば、かかる両側の物干し装置Ｍによって窓開口部Ｂｂの外側に物干し竿を支持したり、かかる両側の物干し装置Ｍ間に物干し用の紐や綱などを張ることもできる。
【００１２】
取付体２は、建物Ｂの外壁Ｂａへの固定部２０とこの固定部２０から前方に突き出すブラケット部２１とを備えている。図示の例では、固定部２０は長さ側を上下方向に沿わせた長方形の板状体として構成されている。ブラケット部２１は固定部２０の一面側から前方に突き出すようにこの固定部２０と一体に形成されている。ブラケット部２１は固定部２０の幅方向中程の位置において上下方向に沿って形成されている。ブラケット部２１を挟んだ両側には固定部２０に釘など軸状固定具の通し孔２０ａが形成されており、取付体２はこの通し孔２０ａを利用して固定部２０の他面側を外壁Ｂａに接しさせるようにして外壁Ｂａに固定されるようになっている。また、ブラケット部２１の上下両端にはそれぞれ、筒軸線を上下方向に沿わせるようにして軸受け筒部２１ａが一体に形成されている。
【００１３】
一方、アーム体１は、アーム基部１０を前記ブラケット部２１に垂直軸１１をもって回動可能に組み付けている。アーム体１はかかる垂直軸１１を中心として前記作業位置と物干し位置との間に亘る移動、つまり回動をなすようになっている。また、図示の例では、かかるアーム体１は、アーム基部１０とアーム先端１２との間で屈曲されたＬ字状をなすように構成されており、作業位置において屈曲部１３とアーム先端１２との間に位置されるアーム体１の一部が建物内Ｂｃに入り込むようになっている。図示の例では、かかるアーム体１は細長い板状をなし、その一端において前記垂直軸１１により取付体２に組み合わされ、この一端を前記アーム基部１０とし、その他端を前記アーム先端１２としている。アーム体１はその幅方向が上下となるようにして前記取付体２をもって外壁Ｂａに備えられる。前記屈曲部１３とアーム先端１２との間には、アーム体１の長さ方向に隣り合う貫通穴１４との間に間隔を開けてこのアーム体１を左右に貫通する丸穴状をなす貫通穴１４が三箇所に設けられている。図示の例では、この貫通穴１４を利用して、アーム体１に物干しハンガＨなどを支持させることができるようになっている。すなわち、典型的には、物干しハンガＨにあっては、そのフックＦをかかる貫通穴１４に引っかけることでアーム体１に吊り下げ状に支持される。なお、アーム体１は洗濯物を干すために利用される各種の器具や物品を支持し得る構成を備えていれば良く、そのための構造は前記貫通穴１４に限定されるものではない。
【００１４】
図示の例では、アーム体１のアーム基部１０には、筒端とアーム体１の上端面及び下端面との間に共に間隔を開けて、筒軸線を上下方向に沿わせるようにして軸受け筒部１０ａが一体に形成されている。そして、図示の例では、前記ブラケット部２１の上下軸受け筒部２１ａ、２１ａ間にアーム体１の軸受け筒部１０ａを納めた状態から、各軸受け筒部１０ａ、２１ａ、２１ａに垂直軸１１を構成する軸体を挿通することで、アーム体１と取付体２とを前記のように組み合わせている。図中符号１１ａで示すのはこのように挿通される軸体の下端の固定ねじである。
【００１５】
アーム体１は、前記物干し位置において、そのアーム基部１０と屈曲部１３との間に位置される箇所（以下、基部側１５という。）を外壁Ｂａに略平行なるように配し、かつ、この屈曲部１３とアーム先端１２との間に位置される箇所（以下、支持側１６という。）を外壁Ｂａに略直交する向きに配し、この支持側１６を窓開口部Ｂｂの側方において外壁Ｂａ側から前方に突き出させる。したがって、物干し位置において窓開口部Ｂｂの前方にアーム体１は位置されることがなく、室内側からの窓開口部Ｂｂを通じた眺望を物干し位置にあるアーム体１が妨げることはない。
【００１６】
アーム体１はかかる物干し位置から、前記支持側１６を前記窓開口部Ｂｂを通じて建物内Ｂｃに入り込ませる前記作業位置まで１８０度回動されるようになっている。したがって、アーム体１はかかる作業位置において、その屈曲部１３を窓開口部Ｂｂの前方に位置させ、かつ、その支持側１６を窓開口部Ｂｂを通じて建物内Ｂｃに真っ直ぐに入り込ませる。したがって、作業位置にあっては建物内Ｂｃ、つまり、室内において、アーム体１の支持側１６に物干しハンガＨなどを引っかけるなどの作業、または物干しハンガＨなどを取り外す作業を容易になすことができる。そして、この後アーム体１を前記物干し位置まで移動、つまり、回動させることで、洗濯物を干すときは建物Ｂ外にかかる物干しハンガＨなどを位置させ、または、これをしないときはかかるアーム体１をかたづけておくことができる。
【００１７】
この実施の形態にあっては、前記物干し装置Ｍに、アーム体１が前記物干し位置にある状態と作業位置にある状態をそれぞれ解除可能に維持する保持手段３が備えられている。
【００１８】
図示の例では、アーム体１の基部側１５にストッパピン３０を内蔵させると共に、取付体２のブラケット部２１にこのストッパピン３０の外端３０ａが掛合される掛合穴３１を設けており、これにより前記保持手段３を構成させている。掛合穴３１はブラケット部２１の下側の軸受け筒部２１ａの直径方向両側にそれぞれ形成されている。ストッパピン３０はアーム体１の基部側１５の側端面であってその軸受け筒部２１ａよりも下方に位置される箇所に孔口３２ａを位置させるように基部側１５にこの基部側１５の長さ方向に沿って形成されたガイド孔３２内にスライド移動可能に納められている。ストッパピン３０はアーム体１の基部側１５に内蔵されたバネ３３によりその外端３０ａを前記孔口３２ａから常時突き出させる向きに付勢されている。また、この基部側１５におけるアーム体１の下端面とガイド孔３２との間には連通孔３４が形成されており、ストッパピン３０の中間部に上端を接合させた操作桿３０ｂがこの連通孔３４を通じて基部側１５の下方に突き出されている。この操作桿３０ｂの突きだし箇所は枠状をなす取っ手部１７に囲繞されている。そして、前記物干し位置及び作業位置においてそれぞれ、前記掛合穴３１にストッパピン３０の外端３０ａが入り込み掛合されるようになっている。この掛合状態は前記操作桿３０ｂを利用して前記バネ３３の付勢に抗する向きにストッパピン３０を移動させることにより解くことができる。これにより前記取っ手１７を利用して物干し位置にあるアーム体１を作業位置に、または、作業位置にあるアーム体１を物干し位置に回動操作することが許容される。この操作の過程においては前記バネ３３の作用によりストッパピン３０はブラケット部２１の軸受け筒部２１ａの外面にその外端３０ａを押しつけ摺接させる。物干し位置にあるアーム体１が作業位置まで、または、作業位置にあるアーム体１が物干し位置まで回動されると、かかるバネ３３の作用によりストッパピン３０のの外端３０ａは回動前に掛合していた掛合穴３１と背中合わせの位置にある掛合穴３１に入り込みアーム体１の前記保持がなされる。
【００１９】
この実施の形態にかかる物干し構造にあっては、これを構成する物干し装置Ｍのアーム体１が前記のようにＬ字状に構成されていることから、前記ブラケット部２１の突きだし寸法を必要最小限にしておくことができる。すなわち、このブラケット部２１の突きだし寸法を大きくとらなくても前記作業位置においてアーム部の一部、つまり、前記支持側１６を都合良く窓開口部Ｂｂを通じて建物内Ｂｃに導入させることができる。
【符号の説明】
【００２０】
Ｂ  建物
Ｂａ  外壁
Ｂｃ  建物内
Ｍ  物干し装置
１  アーム体
１０  アーム基部
１１  垂直軸
２  取付体
２０  固定部
２１  ブラケット部
【図１】
2011050688.tif 000003
【図２】
2011050688.tif 000004
【図３】
2011050688.tif 000005
【図４】
2011050688.tif 000006
【図５】
2011050688.tif 000007